(57)【要約】【課題】媒体繰出装置、及びその媒体繰出装置を搭載した装置のメンテナンスコストをより抑制するための技術を提供する。【解決手段】構造体３０は、シャフト３１に、ピックローラー３２、ギア３３、３４、及び軸受３８を取り付けた構成である。シャフト３１には、径方向に突出した平行ピン３６、３７が設けられている。ピックローラー３２には、シャフト３１が挿入可能な穴３２ａ、その穴３２ａから径方向に突出し、挿入された平行ピン３６が移動可能な２つの溝３２ｂが形成されている。ギア３３にも、シャフト３１が挿入される穴３３ａ、その穴３３ａから径方向に突出し、挿入された平行ピン３６が移動可能な２つの溝３３ｂが形成されている。その溝３２ｂ、３３ｂにより、ピックローラー３２が逆回転するのを抑制させる。【選択図】図３
2016050078.tif 000002
【特許請求の範囲】
【請求項１】
媒体を繰り出すためのピックローラー、第１のギア、及び第２のギアがシャフトに取り付けられ、前記第１のギアが前記シャフトに回転自在に軸支され、前記ピックローラー、及び前記第２のギアのうちの少なくとも一方が所定の回転可能範囲を設けた状態に軸支された構造体と、
前記第１のギア、及び前記第２のギアに噛合させ、前記第１のギアの動力を前記第２のギアに伝達させるための第３のギアと、
前記第３のギアを移動させ、前記第３のギアを前記第１のギア、及び前記第２のギアに一時的に噛合させるギア移動手段と、
を備えることを特徴とする媒体繰出装置。
【請求項２】
前記ピックローラー、及び前記第１のギアは、共に、前記シャフトに前記所定の回転可能範囲を設けた状態に軸支されている、
ことを特徴とする請求項１記載の媒体繰出装置。
【請求項３】
媒体を繰り出すためのピックローラー、第１のギア、及び第２のギアがシャフトに取り付けられ、前記第１のギアが前記シャフトに回転自在に軸支され、前記ピックローラー、及び前記第２のギアのうちの少なくとも一方が所定の回転可能範囲を設けた状態に軸支された構造体と、
前記第１のギア、及び前記第２のギアに噛合させ、前記第１のギアの動力を前記第２のギアに伝達させるための第３のギアと、
前記第３のギアを移動させ、前記第３のギアを前記第１のギア、及び前記第２のギアに一時的に噛合させるギア移動手段と、
を備えることを特徴とする投票券発券装置。
【請求項４】
シャフトに、媒体を繰り出すためのピックローラー、第１のギア、及び第２のギアを取り付け、
前記第１のギアを前記シャフトに回転自在に軸支させるとともに、前記ピックローラー、及び前記第２のギアのうちの少なくとも一方を、所定の回転可能範囲を設けた状態に軸支させ、
前記第１のギア、及び前記第２のギアに第３のギアを噛合させた場合に、前記ピックローラーの所定方向への回転を、前記ピックローラー、及び前記第２のギアのうちの少なくとも一方に設けた前記所定の回転可能範囲により抑制させる、
ことを特徴とするピックローラー回転抑制方法。
【発明の詳細な説明】
【技術分野】
【０００１】
本発明は、媒体束から媒体を１枚ずつ分離して繰り出す技術に関する。
【背景技術】
【０００２】
公営競技は、ギャンブルとして開催されるプロフェッショナルスポーツである。希望者は、式別毎に、レース結果、つまり競技者（ここでは、競技者である騎手が乗馬する馬を含む）の着順を予想し、投票券を購入することができる。
【０００３】
公営競技場、及び投票所には、投票券を自動的に購入できるように、投票券発券装置（ここでは投票券発払装置を含む）が設置されている。その投票券発券装置は、購入希望者が挿入する投票カードを読み取り、投票カードで指定された投票内容の投票券を発券する。現在、投票券発券装置の大部分は、購入希望者が希望する投票券をより効率的に購入できるように、複数枚の投票カードを一度に挿入することができる。投票券発券装置に挿入されるのは、１枚以上の積み重ねられた投票カードであることから、以降、挿入された１枚以上の投票カードは便宜的に「投票カード束」と表記する。
【０００４】
購入希望者が挿入した投票カード束は、読み取りのために、一枚ずつ投票カードが繰り出されて搬送される。そのため、投票券発券装置には、投票カードを繰り出すための媒体繰出装置が搭載されている。
【０００５】
媒体繰出装置は、繰り出し用のローラーであるピックローラーによる搬送力を投票カード束の投票カードに一時的に伝達させる。一時的に搬送力を伝達させることにより、１枚の投票カードが投票カード束から分離されて搬送される。
【０００６】
装置の製造コストは、部品点数が多くなる程、高くなる傾向がある。そのため、媒体繰出装置を搭載する投票券発券装置では、動力源となるモーターの数をより少なくさせている。それにより、投票カードの搬送に用いるモーターを、投票カードの繰り出しの動力源とする媒体繰出装置が多くなっている。
【０００７】
投票カード束でピックローラーの搬送力を伝達させる位置は、投票カードの搬送方向上、奥側の端になっている。そのため、ピックローラーに搬送力を伝達させるべき投票カードが搬送方向上、手前側（ここでは挿入方向側）にずれると、その投票カードに搬送力を適切に伝達できなくなる。次に搬送力を伝達すべき投票カードが存在する場合、その投票カードに搬送力を伝達され、２枚以上の投票カードを一度に繰り出す繰り出しエラーが発生しやすい。
【０００８】
投票カードの搬送に用いるモーターを投票カードの繰り出しの動力源とする媒体繰出装置には、通常、ピックローラーにモーターからの動力を一時的に伝達するための機構が搭載される。動力の伝達には、ギアが用いられるのが一般的である。
【０００９】
ギアを用いた動力の一時的な伝達では、ギア同士を一時的に噛合させることが行われる。ギア同士を噛合させる場合、噛合させる各ギアの歯の位置関係により、噛合の際に、動力が伝達される側のギアが一瞬、想定方向の逆方向に回転する可能性がある。
【００１０】
動力が伝達される側のギアは、ピックローラーと連結されている。そのため、動力が伝達される側のギアが想定方向の逆方向に回転した場合、ピックローラーは投票カードを繰り出す方向とは反対方向に搬送力を作用させる。しかし、反対方向に搬送力を作用させた場合、ピックローラーと投票カード束の上記位置関係から、繰り出しエラーが発生しやすくなる。このことから、現在、ピックローラーを一方方向のみに回転させるための機構であるワンウェイクラッチが採用されている。
【００１１】
ワンウェイクラッチは、埃、及び汚れ等によって適切に機能しなくなることから、定期的に清掃等のメンテナンスを必要とする。投票カードの繰り出し、及び搬送を行うことから、媒体繰出装置内は埃（紙粉）が発生しやすい環境である。そのため、媒体繰出装置の定期的なメンテナンスでは、ワンウェイクラッチの清掃は必須の項目となっている。
【００１２】
ワンウェイクラッチの清掃は、ワンウェイクラッチを含む構造体を媒体繰出装置から取り外し、取り外した構造体を分解して行う必要がある。そのため、ワンウェイクラッチの清掃には長い時間を必要とし、メンテナンスコストを高くさせている。それにより、媒体繰出装置のメンテナンスコストをより抑制することが重要と思われる。これは、媒体の種類に係わらず、ピックローラーの回転方向を制限するためにワンウェイクラッチを採用している媒体繰出装置、及びその媒体繰出装置を搭載した装置であれば共通している課題である。
【先行技術文献】
【特許文献】
【００１３】
【特許文献１】特開平８−２６８５７９号公報
【特許文献２】特開２００６−５６６５８号公報
【特許文献３】特開２０１３−８２５１９号公報
【発明の概要】
【発明が解決しようとする課題】
【００１４】
１側面では、本発明は、媒体繰出装置、及びその媒体繰出装置を搭載した装置のメンテナンスコストをより抑制するための技術を提供することを目的とする。
【課題を解決するための手段】
【００１５】
本発明を適用した１装置は、媒体を繰り出すためのピックローラー、第１のギア、及び第２のギアがシャフトに取り付けられ、第１のギアがシャフトに回転自在に軸支され、ピックローラー、及び第２のギアのうちの少なくとも一方が所定の回転可能範囲を設けた状態に軸支された構造体と、第１のギア、及び第２のギアに噛合させ、第１のギアの動力を第２のギアに伝達させるための第３のギアと、第３のギアを移動させ、第３のギアを第１のギア、及び第２のギアに一時的に噛合させるギア移動手段と、を備えている。
【発明の効果】
【００１６】
本発明を適用した場合には、媒体繰出装置、及びその媒体繰出装置を搭載した装置のメンテナンスコストをより抑制することができる。
【図面の簡単な説明】
【００１７】
【図１】本実施形態による媒体繰出装置を搭載した投票カード読取ユニットの斜視図である。
【図２】繰出機構の詳細を表す斜視図である。
【図３】構造体の分解斜視図である。
【図４】繰出機構の上面図である。
【図５】投票カードの非繰出時の繰出機能の状態を説明する図である。
【図６】投票カードの繰出時の繰出機構の状態を説明する図である。
【図７】本実施形態による投票券発券装置のハードウェア構成例を説明する図である。
【図８】投票カード読取ユニットのハードウェア構成例を説明する図である。
【発明を実施するための形態】
【００１８】
以下、本発明の実施形態について、図面を参照しながら詳細に説明する。
図１は、本実施形態による媒体繰出装置を搭載した投票カード読取ユニットの斜視図である。
【００１９】
この投票カード読取ユニット１には、投票内容が記入された投票カードが１枚以上、重ねられた投票カード束が図１中に矢印で表す方向から一括挿入部２に挿入される。それにより、投票カード読取ユニット１は、投票カード束から投票カードを１枚ずつ繰り出して搬送し、搬送中の投票カードに記入された投票内容を読み取るようになっている。３は、投票カード束から投票カードを１枚ずつ繰り出すための繰出機構である。
【００２０】
繰出機構３により繰り出された投票カードは、投票カードを収納するためのスタッカ部４に向けて搬送される途中で投票内容が読み取られる。投票内容の読み取りが適切に行えなかった投票カード、及び投票内容が不適切な投票カードは、返却部５を介し、返却口６から排出される。
【００２１】
図２は、繰出機構の詳細を表す斜視図である。その図２を参照し、繰出機構３について更に詳細に説明する。
【００２２】
返却部５は、開閉可能になっており、図２は、返却部５を開けた状態で繰出機構３を表している。図１に表す矢印方向から見て、図２（ａ）は、右側上方からの斜視図（図１の矢視Ｃから見た図）であり、図２（ｂ）は、左側上方からの斜視図（図１の矢視Ｄから見た図）である。以降、視点は、特に断らない限り、図１に表す矢印方向から見た視点を想定する。
【００２３】
投票カード読取ユニット１には、投票カードの繰り出し、及び繰り出した投票カードの搬送のための動力源としてモーター４１が１つだけ搭載されている。モーター４１のシャフトにはプーリー４２が取り付けられている。プーリー４２は、ベルト４３に動力を伝達する。ベルト４３は、プーリー４２、複数のプーリー４５、及びプーリー４６の間に張架されている。
【００２４】
プーリー４６が取り付けられたシャフト４７は、ギア２１を軸支している。ギア２１には、ギア２２が噛合され、ギア２２にはギア３４が噛合されている。それにより、モーター４１からプーリー４６に伝達された動力は、シャフト４７、ギア２１、及びギア２２を介してギア３４に伝達される。
【００２５】
ギア３４は、投票カードを繰り出すための構造体３０の一部である。図３に表すように、この構造体３０は、シャフト３１に、ピックローラー３２、ギア３３、３４、及び軸受３８を取り付けた構成となっている。
【００２６】
シャフト３１には、径方向に突出した平行ピン３６が設けられている。ピックローラー３２には、シャフト３１が挿入可能な穴３２ａ、その穴３２ａから径方向に突出し、挿入された平行ピン３６が移動可能な２つの溝３２ｂが形成されている。
【００２７】
図３は、構造体３０の分解斜視図である。
図３に示す様に、ギア２２に噛合されたギア３４には、シャフト３１が挿入される穴３４ａが形成されている。それにより、ギア３４は、シャフト３１に対し、回転自在に軸支されている。このことから、以降、ギア３４はアイドラギアとも表記する。
【００２８】
一方、ギア３３には、ピックローラー３２と同様に、シャフト３１が挿入される穴３３ａ、その穴３３ａから径方向に突出し、挿入された平行ピン３６が移動可能な２つの溝３３ｂが形成されている。
【００２９】
２つのギア３３、３４には、ギア２３が一時的に噛合される。そのギア２３の噛合により、モーター４１からの動力がシャフト３１に伝達され、シャフト３１が回転する。その回転に伴い、ピックローラー３２が回転し、投票カード束の一番上に位置する投票カードにピックローラー３２による動力が伝達される。その結果、投票カードが１枚、繰り出される。
【００３０】
図２（ａ）、図２（ｂ）に示す様に、ギア２３とギア３３、３４との一時的な噛合は、ソレノイド２５を用いて行われる。ギア２３は、ブラケット２８に取り付けられたシャフト２９によって軸支され、ブラケット２８には、ソレノイド３５のプランジャー３５ａからの動力が連結部材２６を介して伝達される。連結部材２６とブラケット２８間は、シャフト２７により連結されている。それにより、ソレノイド３５の駆動時のみ、ギア２３はギア３３、３４に向けて押し付けられるようになっている。
【００３１】
次に、図４〜図６を参照し、上記繰出機構３の動作について具体的に説明する。図４は、繰出機構の上面図である。図５は、投票カードの非繰出時の繰出機能の状態を説明する図であり、図５（ａ）は非繰出時のＡ−Ａ線断面図、図５（ｂ）は非繰出時のＢ−Ｂ線断面図である。図６は、投票カードの繰出時の状態を説明する図であり、図６（ａ）は繰出時のＡ−Ａ線断面図、図５（ｂ）は繰出時のＢ−Ｂ線断面図である。図４〜図６では、便宜的に、特に主要な構成要素のみを表している。
【００３２】
図４に表すように、ギア２３は、２つのギア３３、３４に噛合させることのできる幅のギアである。そのため、ギア２３を２つのギア３３、３４に噛合させた場合、ギア３４に伝達された動力は、ギア２３を介してギア３３に伝達される。ギア３３への動力の伝達により、シャフト３１を介してピックローラー３２に動力が伝達され、ピックローラー３２は投票カード束６０の一番上に位置する投票カードを繰り出すことになる。
【００３３】
ギア２３が取り付けられたブラケット２８は、図５（ａ）、及び図６（ａ）に表すように、シャフト５１を軸に回転可能になっている。そのブラケット２８の他方の端部２８ａは、図５（ｂ）、及び図６（ｂ）に表す圧板５４への動力伝達用である。この圧板５４は、投票カード束６０をピックローラー３２に向けて押し付けるための部材であり、ブラケット２８の端部２８ａに取り付けられたシャフト５２を介して動力が伝達される。５３は、投票カード束６０の搬送上のガイドをする上板であり、５５は、一括挿入部２に挿入された投票カード束６０を奥側に搬送するためのローラー（ピンチローラー）である。
【００３４】
上記のように、非繰出時、ソレノイド２５は非駆動状態であり、図５（ａ）に表すように、ギア２３はギア３３、３４とは離間している。圧板５４は、図５（ｂ）に表すように、投票カード束６０をピックローラー３２に向けて押し付ける状態ではない。
【００３５】
一方、繰出時には、ソレノイド２５が駆動され、図６（ａ）に表すように、ギア２３はギア３３、３４に向けて移動して噛合する。圧板５４は、図６（ｂ）に表すように、投票カード束６０をピックローラー３２に向けて押し付ける状態となる。
【００３６】
圧板５４が投票カード束６０をピックローラー３２に押し付ける状態では、図６（ｂ）に表すように、投票カード束６０は搬送ローラー５６とピンチローラー５５間に挟まれた状態となる。この搬送ローラー５６は、投票カート束６０の一括挿入部２への挿入時、その投票カード束６０を奥に搬送するために設けられている。それにより、繰出時にも、搬送ローラー５６による搬送力が投票カード束６０の一番上の投票カードに作用する。
【００３７】
繰出時には、ギア２３をギア３３、３４に噛合させる。その噛合の際、ギア３３は、自身の歯とギア２３の歯との間の位置関係により、正逆の何れの方向にも回転する。ここでの正方向とは、投票カードを繰り出す方向（図５（ａ）に向かって右回転方向）である。このことから、逆方向は、投票カードを一括挿入部２側に向けて搬送力を作用させる方向である。
【００３８】
ギア３３、及びピックローラー３２を共に固定的にシャフト３１に取り付けた場合、シャフト３１、及びピックローラー３２はギア３３と同方向に連動する形で回転する。そのため、ギア２３を噛合させた際、ギア３３が逆方向に回転すると、シャフト３１に取り付けられたピックローラー３２は、投票カード束６０で接触している投票カードに対し、一括挿入部２方向に向けて搬送させる搬送力を作用させることになる。そのような搬送力を作用させた場合、その搬送力を作用させた投票カードとピックローラー３２は接触しなくなるか、或いは接触範囲が狭まり、繰り出すべき投票カードを適切に繰り出せない可能性が高くなる。このことから、従来、ピックローラー３２の回転方向の制限用に、正方向のみに回転させるためのワンウェイクラッチが広く用いられている。
【００３９】
ワンウェイクラッチを採用する場合、シャフト３１には高い硬度、及び高い精度等が求められる。部品点数も多くなる。このようなことから、ワンウェイクラッチを採用することにより、製造コストは上昇する。
【００４０】
また、ワンウェイクラッチは、埃、及び汚れ等によって適切に機能しなくなる。投票カードの繰り出し、及び搬送を行う場合、埃（紙粉）が発生しやすいことから、定期的なメンテナンスでワンウェイクラッチは清掃しなければならない。ワンウェイクラッチの清掃には長い時間を必要とすることから、メンテナンスコストも非常に高くさせる。
【００４１】
このようなことから、本実施形態では、ピックローラー３２に溝３２ｂ、ギア３３に溝３３ｂをそれぞれ設け、ワンウェイクラッチを採用する必要性を抑制させている。
【００４２】
ピックローラー３２に設けた溝３２ｂ、及びギア３３に設けた溝３３ｂは共に、ピックローラー３２が逆回転するまでの余裕を作る。これは、ギア３３からシャフト３１に動力が伝達する以上、平行ピン３６が溝３２ｂの２つの面３２ｂ１、３２ｂ２のうちの一方に接触し、且つ平行ピン３７が溝３３ｂの２つの面３３ｂ１、３３ｂ２のうちの同じ側の面に接触しなければ、ピックローラー３２は回転しないからである。ギア２３の噛合の際にギア３３を逆回転させる最大の回転角度は、比較的に小さく、溝３２ｂ、３３ｂは、その最大の回転角度以上、平行ピン３６、３７が移動可能なように形成している。そのため、ギア２３を噛合させた際、ピックローラー３２は逆回転しないか、たとえ逆回転したとしても、その回転量は僅かなものとなる。
【００４３】
このことから、ワンウェイクラッチを用いる必要性は事実上、回避させることができる。ワンウェイクラッチを用いないことにより、製造コスト、及びメンテナンスコストを共に、より抑制することができる。また、本実施形態のギヤ・シャフト・プーリ・ベルト等の駆動手段の構成にすることにより、１つのモーターのみで、投票カード（媒体）の繰り出し・搬送が可能となり、製造コスト、及びメンテナンスコストを共に、より抑制することができる。
【００４４】
なお、本実施形態では、ギア３３、及びピックローラー３２に共に、ギア２３の噛合による影響を抑制するための回転可能範囲を設けているが、そのうちの一方のみに回転可能範囲を設けるようにしても良い。また、平行ピン３６を溝３２ｂの面３２ｂ２に、或いは平行ピン３７を溝３３ｂの面３３ｂ２に接触するような力を作用させるようにしても良い。そのような力を何れか一方に作用させる場合、ギア２３を噛合させる際に発生するピックローラー３２の逆回転は確実に回避させることができる。
【００４５】
本実施形態による投票券発券装置は、上記投票カード読取ユニット１を搭載させることで実現される。この投票券発券装置は、挿入された投票カードの繰り出しを行えば良いものであることから、投票券発券装置には、払い戻しが行える投票券発払装置も含まれる。以降は、その投票券発券装置について具体的に説明する。
【００４６】
図７は、本実施形態による投票券発券装置のハードウェア構成例を説明する図である。
この投票券発券装置は、投票券の発券に加え、投票券の払い戻しが可能な投票券発払装置１００である。その投票券発払装置１００は、図７に表すように、ディスプレイ１０１、管理者用ディスプレイ１０２、タッチパネル１０３、管理者用タッチパネル１０４、投票カード読取ユニット１、紙幣還流ユニット１０５、硬貨還流ユニット１０６、投票券印刷ユニット１０７、払戻投票券読取ユニット１０８、及び制御部１１０を備えている。
【００４７】
ディスプレイ１０１は、利用者に対し、操作案内、レース案内、投票カードの投票内容等の情報の表示に用いられる。管理者用ディスプレイ１０２は、メンテナンス等の際に、作業員に必要な情報の表示に用いられる。この管理者用ディスプレイ１０２は、例えば投票券発券装置１００の裏側に設けられている。
【００４８】
タッチパネル１０３は、ディスプレイ１０１の上方に配置された入力装置である。管理者用タッチパネル１０４は、管理者用ディスプレイ１０２の上方に配置された入力装置である。
【００４９】
投票カード読取ユニット１は、上記のように、利用者が一括挿入部２に挿入した投票カード束６０から投票カードを１枚ずつ繰り出して搬送し、搬送中に投票カードに記入された投票内容を読み取るための装置である。
【００５０】
紙幣還流ユニット１０５は、紙幣の入金、及び出金を可能にするための装置である。硬貨還流ユニット１０６は、硬貨の入金、及び出金を可能にするための装置である。これら紙幣還流ユニット１０５、及び硬貨還流ユニット１０６により、利用者は現金を用いた投票券の購入、及び払い戻しを行うことができる。
【００５１】
投票券印刷ユニット１０７は、未印刷の投票券に必要な内容を印刷して、投票券を発券するための装置である。
【００５２】
払戻投票券読取ユニット１０８は、利用者が挿入した投票券の投票内容を読み取るための装置である。
【００５３】
制御部１１０は、投票券発払装置１００全体を制御する制御装置である。図７に表すように、ＣＰＵ（Central Processing Unit）１１１、ＲＡＭ（Random Access Memory）１１２、ＨＤＤ（Hard Disk Drive）１１３、通信インタフェース１１４、グラフィック処理ユニット１１５、入出力インタフェース１１６を備え、各々がバス１１７に接続されている。なお、制御部１１０は、コンピュータの一例に相当する。
【００５４】
ＣＰＵ１１１は、制御部１１０を制御して、投票券発券装置１００全体を制御する。ＲＡＭ１１２は、ＣＰＵ１１１が実行するＯＳ（Operating System）、及びアプリケーションプログラム等の少なくとも一部の一時的な格納に用いられる。また、ＲＡＭ１１２は、ＣＰＵ１１１による処理に必要な各種データ（例えば投票内容のデータ等）の一時的な格納に用いられる。ＨＤＤ１１３には、ＯＳやアプリケーションプログラム、各種データ等が格納される。
【００５５】
通信インタフェース１１４は、ネットワーク２００に接続され、ネットワーク２００を介した外部装置との通信を可能にさせる。投票券の発券、及び払い戻し時には、ネットワーク２００を介した外部装置（例えば投票サーバ）との通信が行われる。
【００５６】
なお、ＣＰＵ１１１に実行させるプログラムは、ネットワーク２００を介して外部装置から受信しても良い。また、入出力インタフェース１１６が可搬型記録媒体１２０にアクセス可能な駆動装置に接続可能であった場合、プログラムは、入出力インタフェース１１６を介して取得するようにしても良い。このようなこともあり、プログラムの格納先、及び取得方法等は特に限定されない。
【００５７】
グラフィック処理ユニット１１５は、ＣＰＵ１１１の指示に従い、ディスプレイ１０１、或いは管理者用ディスプレイ１０２に表示させる画面（画像データ）を生成し、生成した画面をディスプレイ１０１、或いは管理者用ディスプレイ１０２に出力する。それにより、ＣＰＵ１１１は、必要な情報をディスプレイ１０１、及び管理者用ディスプレイ１０２に表示させる。
【００５８】
入出力インタフェース１１６は、双方向のデータの入出力のためのインタフェースである。この入出力インタフェース１１６には、タッチパネル１０３、管理者用タッチパネル１０４、投票カード読取ユニット１、紙幣還流ユニット１０５、硬貨還流ユニット１０６、投票券印刷ユニット１０７、及び投票券読取ユニット１０８が接続されている。それにより、ＣＰＵ１１１は、これら各ユニット１、１０３〜１０８への指示、及び各ユニット１、１０３〜１０８の状態の確認、及び必要なデータの取得を、入出力インタフェース１１６を介して行う。
【００５９】
図８は、投票カード読取ユニットのハードウェア構成例を説明する図である。
上記投票カード読取ユニット１は、図８に表すように、ソレノイド２５、及びモーター４１に加え、読取制御部１３１、厚みセンサ１３２、イメージセンサ１３３、センサ群１３４、ソレノイド駆動部１３５、及びモーター駆動部１３６を備える。
【００６０】
読取制御部１３１は、投票カード読取ユニット１全体を制御する制御装置である。厚みセンサ１３２は、ピックローラー３２によって繰り出された投票カードの厚みを検出するためのセンサである。２枚以上の投票カードの繰り出しは、この厚みセンサ１３２によって検出され、返却部５を介して排出される。
【００６１】
イメージセンサ１３３は、搬送中の投票カードの読み取りに用いられるセンサである。このイメージセンサ１３３によって読み取られた投票カード画像は、例えば読取制御部１３１、或いは制御部１１０のＣＰＵ１１１によって処理され、投票内容が適切に読み取れたか否かの判定、及び投票内容が適切か否かの判定が行われる。
【００６２】
センサ群１３４には、一括挿入部２に挿入された投票カード束６０の検出用センサ、搬送されている投票カードを検出するための複数のセンサ、等を含む。このセンサ群１３４によって、投票カード束の挿入、搬送異常、等を検出することができる。
【００６３】
ソレノイド駆動部１３５は、ソレノイド２５の駆動のために電流を供給するための回路である。モーター駆動部１３６は、モーター４１の駆動用の信号を供給するための回路である。
【００６４】
なお、本実施形態では、繰り出す対象とする媒体を投票カードとしているが、媒体は投票カードに限定されない。それにより、媒体繰出装置は、投票券発券装置とは異なる装置に搭載されるものであっても良い。投票券発払装置では、投票券も繰り出す対象となることから、媒体繰出装置は、投票券を対象としたものであっても良い。
【符号の説明】
【００６５】
１    投票カード読取ユニット
２    一括挿入部
２１〜２３、３３、３４    ギア
２５    ソレノイド
２５ａ    プランジャー
２６    連結部材
２８    ブラケット
３１、４７    シャフト
３２    ピックローラー
３２ａ、３３ａ、３４ａ    穴
３２ｂ、３３ｂ    溝
３５、３６    平行ピン
４１    モーター
４２、４５、４６    プーリー
４３    ベルト
６０    投票カード束
【図７】
2016050078.tif 000003
【図８】
2016050078.tif 000004
【図１】
2016050078.tif 000005
【図２】
2016050078.tif 000006
【図３】
2016050078.tif 000007
【図４】
2016050078.tif 000008
【図５】
2016050078.tif 000009
【図６】
2016050078.tif 000010